【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
電力変換装置において使用される制御装置であって、
電流制限信号を生成するように結合された電流制限値生成器と、
ジッタ信号を生成するように結合されたジッタ発生器であって、
前記ジッタ信号の変調周期が、スイッチング周期より長い、
ジッタ発生器と、
前記電流制限信号と前記ジッタ信号とを受信するように結合された算術演算素子回路であって、
前記算術演算素子回路が、前記電流制限信号と前記ジッタ信号とに応答して、変調電流制限信号を生成するように結合された、
算術演算素子回路と、
エネルギー伝達素子に結合された電力スイッチに結合可能なスイッチ制御装置であって、
前記スイッチ制御装置が、前記電力スイッチを通るドレイン電流を表す電流検出信号を受信するように結合可能であり、
前記スイッチ制御装置が、前記電流検出信号と前記変調電流制限信号とに応答して、前記電力スイッチのスイッチングを制御する駆動信号を生成するように結合され、
前記電力スイッチの前記スイッチングが、前記電力変換装置の入力から前記電力変換装置の出力へのエネルギーの伝達を制御する、
スイッチ制御装置と、
を備え、
前記変調電流制限信号が、スイッチングサイクルに対する最大ドレイン電流を設定し、
前記スイッチ制御装置が、さらに、前記電力変換装置の出力量を表すフィードバック信号を受信するように結合された有効化回路から有効化信号を受信するように結合され、
前記スイッチ制御装置が、前記電流検出信号と前記変調電流制限信号と前記有効化信号とに応答して、前記駆動信号を生成するように結合され、
前記駆動信号が、前記有効化信号に応答して前記電力スイッチをオンに切り替える、
電力変換装置において使用される制御装置。
【請求項２】
前記変調電流制限信号が、前記電流制限信号と前記ジッタ信号との積である、
請求項１に記載の制御装置。
【請求項３】
前記電力変換装置の前記出力量を表す前記フィードバック信号が、前記電力変換装置の前記出力量を検出するように結合された検出回路により生成される、
請求項１に記載の制御装置。
【請求項４】
前記駆動信号が、前記電流検出信号と前記変調電流制限信号との比較に応答して、前記電力スイッチをオフに切り替えるように結合可能であり、
前記駆動信号が、前記有効化信号に応答して、前記電力スイッチをオンに切り替えるように結合可能である、
請求項１に記載の制御装置。
【請求項５】
前記スイッチ制御装置が、前記駆動信号を生成するように結合されたフリップフロップ回路を含み、
前記フリップフロップ回路が、前記電流検出信号と前記変調電流制限信号との比較に応答して、リセットされるように結合され、
前記フリップフロップ回路が、前記有効化信号に応答して、セットされるように結合される、
請求項１に記載の制御装置。
【請求項６】
前記有効化回路が、前記有効化信号を生成して、前記電力スイッチのオフ期間の持続期間が実質的に一定となることをもたらすように結合される、
請求項１に記載の制御装置。
【請求項７】
前記電力スイッチのスイッチング周期が可変となるように、前記電力スイッチのオン期間の持続期間が可変である、
請求項６に記載の制御装置。
【請求項８】
前記ジッタ信号が、前記駆動信号のスイッチング周期より長い変調周期をもつ周期的な信号である、
請求項１に記載の制御装置。
【請求項９】
前記ジッタ信号が、前記駆動信号のスイッチング周期より長い変調周期をもつのこぎり波形信号である、
請求項１に記載の制御装置。
【請求項１０】
前記のこぎり波形信号は、ピーク値と底値との間で振動するように結合される、
請求項９に記載の制御装置。
【請求項１１】
算術演算素子回路が、乗算器であり、
前記変調電流制限信号が、前記電流制限信号と前記ジッタ信号との積である、
請求項１０に記載の制御装置。
【請求項１２】
前記ジッタ信号が、前記駆動信号のスイッチング周期より長い変調周期をもつステップラダー波形信号である、
請求項１に記載の制御装置。
【請求項１３】
前記ステップラダー波形信号が、ピーク値と底値との間で振動するように結合される、
請求項１２に記載の制御装置。
【請求項１４】
前記変調電流制限信号が、前記電流制限信号と前記ジッタ信号との積であり、
前記電流制限信号と前記ジッタ信号との前記積を決定するとき、前記ピーク値と前記底値との平均が、前記ジッタ信号のための単位乗数に実質的に等しい、
請求項１３に記載の制御装置。
【請求項１５】
前記電流制限信号が、一定の信号である、
請求項１に記載の制御装置。
【請求項１６】
前記電流制限信号が、前記電力スイッチのオン期間中、可変信号である、
請求項１に記載の制御装置。
【請求項１７】
前記電流制限信号は、前記電力スイッチの前記オン期間中、減少するように結合される、
請求項１６に記載の制御装置。
【請求項１８】
前記駆動信号のオン期間が、前記変調電流制限信号に応答して、変化するように結合される、
請求項１に記載の制御装置。
【請求項１９】
前記駆動信号のオフ期間が、前記変調電流制限信号に応答して、変化するように結合される、
請求項１に記載の制御装置。
【請求項２０】
前記スイッチ制御装置が、前記変調電流制限信号に応答して、前記電力スイッチの前記スイッチングにより生成された可聴ノイズを減らすように結合される、
請求項１に記載の制御装置。
【手続補正２】
【補正対象書類名】明細書
【補正対象項目名】００１９
【補正方法】変更
【補正の内容】
【００１９】
クランプ回路１１２は、エネルギー伝達素子Ｔ１  １０４の一次巻線１０６に結合されて、電力スイッチＳ１  １１０における最大電圧を制限する。電力スイッチＳ１  １１０は、制御装置１２０から受信された駆動信号１４８に応答して、開状態および閉状態にされる。全体的に、閉じられたスイッチは、電流を導通し得、オンとみなされ、開いたスイッチは、電流を流すことができず、オフとみなされることが理解される。図１Ａの例では、電力スイッチＳ１  １１０は、電力変換装置１００の指定された性能を満たすように、制御装置１２０に応答して、ドレイン電流ＩＤ１４０を制御する。いくつかの実施形態において、電力スイッチＳ１  １１０は、トランジスタであり得る。
【手続補正３】
【補正対象書類名】明細書
【補正対象項目名】００３０
【補正方法】変更
【補正の内容】
【００３０】
第４のタイミング図は、三角波形により示されるドレイン電流２４０を示す。ドレイン電流ＩＤ２４０の上に重ね合わされた破線の波形２３８は、第３のタイミング図により生成されるように電流制限値を設定する。第４のタイミング図は、第１のオン期間ＴＯＮ１  ２７２と第２のオン期間ＴＯＮ２７３とを示す。第４のタイミング図は、スイッチング周期ＴＳ１、ＴＳ２、ＴＳ３、およびＴＳ４をさらに示し、これらのスイッチング周期の値は、変化し得る。この例において、ＴＳ１とＴＳ２とＴＳ３とＴＳ４との値は同一ではなく、変化し得る。この例において、オン期間ＴＯＮ１  ２７２とオン期間ＴＯＮ２  ２７３との値は、変化し得るが、オン期間ＴＯＮ１  ２７２とオン期間ＴＯＮ２  ２７３とは、同等でもあり得ることが理解されなければならない。他の実施形態において、同様に、オフ期間ＴＯＦＦ２７０の値は変化し得、オン期間ＴＯＮ２７０の値は、同じまま留まり得る。